(57)【特許請求の範囲】
【請求項１】
押ボタンと、円筒状からなり前記押ボタンを格納する押ボタン格納部と、前記押ボタンに連動するスイッチを収容するスイッチ格納部とを有する発信機本体部と、該発信機本体部における前記押ボタン格納部の前面に設けられた有底円筒状の蓋体からなる発信機カバーと、該発信機カバーに取り付けられた表示灯部とを有し、
該表示灯部は、発光素子を搭載した基板を収容する発光素子収容部と前記発光素子の光を透光させる発光表示部とを有する表示灯本体部とを有し、
該表示灯本体部は、前記発信機カバーの外形に沿うリング状の有底枠形状であり、両面シール部材、ネジ止め又は係合部のいずれかの固定手段によって前記発信機カバーの前面に固定されていることを特徴とする表示灯一体型発信機。
【請求項２】
前記発信機カバーには、前記表示灯部への電源を供給する電源線を挿通するための配線取出し穴を有することを特徴とする請求項１記載の表示灯一体型発信機。
【請求項３】
前記表示灯部は、前記発光素子を点灯するための内部電源を有していることを特徴とする請求項１記載の表示灯一体型発信機。
【請求項４】
押ボタンと、円筒状からなり前記押ボタンを格納する押ボタン格納部と、前記押ボタンに連動するスイッチを収容するスイッチ格納部とを有する発信機本体部と、該発信機本体部における前記押ボタン格納部の前面に設けられた有底円筒状の蓋体からなる発信機カバーとを備えた発信機に取り付けられる表示灯であって、
発光素子を搭載した基板を収容する発光素子収容部と、前記発光素子の光を透光させる発光表示部とを有する表示灯本体部を備え、
前記表示灯本体部は、前記発信機カバーの外形に沿うリング状の有底枠形状であり、該表示灯本体部を前記発信機カバーに固定するための両面シール部材、ネジ止め又は係合部のいずれかの固定手段を有することを特徴とする表示灯。
【発明の詳細な説明】
【技術分野】
【０００１】
本発明は、例えば消火栓箱、総合盤（機器収容箱）等に取り付けられる表示灯一体型発信機発信機、発信機、表示灯に関する。
【背景技術】
【０００２】
表示灯と発信機と一体的に構成した例が、特許文献１（意匠登録第１４６０５５８号公報）に開示されている。特許文献１には、「中央部に発信機を取り付けるための略矩形状の開口を有し、赤色に着色された半透明部材から成る環状の表示灯本体と、表示灯本体に着脱自在に螺着され、表示灯本体を消火栓格納箱等へ取り付けるための環状の取り付け部材と、表示灯本体と取り付け部材との間に挟持固定され、発光ダイオード（ＬＥＤランプ）を等角度ごとに取り付けた環状の基板とから構成されており、表示灯本体の環状空間に配置された発光ダイオードの光を正面及び周囲に環状に放射するようにした」（特許文献１における意匠に係る物品の説明）と記載されている。
【０００３】
特許文献１に開示されたものは、表示灯をリング状の表示灯本体と、該表示灯本体を取り付けるための取付部材から構成し、リング状の表示灯本体の内側に発信機を取り付け、取付部材によって消火栓箱等に取り付けるようにしている。つまり、表示灯本体が発信機を取り付けるアダプタとして機能している。
【先行技術文献】
【特許文献】
【０００４】
【特許文献１】意匠登録第１４６０５５８号公報
【発明の概要】
【発明が解決しようとする課題】
【０００５】
特許文献１に開示のものでは、発信機カバーの外周の外側にリング状の表示灯が配置されるため、形状が大型化し、取付に際しては発信機カバーの外形に表示灯の外形を加えた設置面積が必要になるという問題がある。
【０００６】
本発明はかかる課題を解決するためになされたものであり、形状がコンパクトな表示灯一体型発信機、該表示灯一体型発信機を構成することができる発信機、表示灯を提供することを目的としている。
【課題を解決するための手段】
【０００７】
（１）本発明に係る表示灯一体型発信機は、発信機本体部と、該発信機本体部の前面に設けられた発信機カバーと、該発信機カバーに取り付けられた表示灯部とを有し、
前記表示灯部は固定手段によって前記発信機カバーの前面に固定されることを特徴とするものである。
【０００８】
（２）また、上記（１）記載のものにおいて、前記表示灯部は、発光素子を収容する発光素子収容部と前記発光素子の光を透光させる発光表示部とを有する表示灯本体部とを有することを特徴とするものである。
【０００９】
（３）また、上記（１）又は（２）に記載のものにおいて、前記発信機カバーには、前記表示灯部への電源を供給する電源線を挿通するための配線取出し穴を有することを特徴とするものである。
【００１０】
（４）また、上記（１）又は（２）に記載のものにおいて、前記表示灯部は、前記発光素子を点灯するための内部電源を有していることを特徴とするものである。
【００１１】
（５）また、上記（１）乃至（４）のいずれかに記載のものにおいて、前記表示灯本体部は、前記発信機カバーの外形に沿うリング状の有底枠形状であることを特徴とするものである。
【００１２】
（６）また、本発明に係る発信機は、発信機本体部と、該発信機本体部の前面に設けられた発信機カバーとを備える発信機において、
前記発信機カバーはノックアウト穴を有し、前記ノックアウト穴は、前記発信機カバーの前面に固定される表示灯に電源線を配線する場合に開口されることを特徴とするものである。
【００１３】
（７）また、本発明に係る表示灯は、発光素子を収容する発光素子収容部と、前記発光素子の光を透光させる発光表示部とを有する表示灯部を備え、
前記表示灯部は、発信機本体部の前面に設けられた発信機カバーに固定される固定手段を有することを特徴とするものである。
【００１４】
本発明においては、発信機本体部と、該発信機本体部の前面に設けられた発信機カバーと、該発信機カバーに取り付けられた表示灯部とを有し、前記表示灯部は固定手段によって前記発信機カバーの前面に固定されるので、発信機カバーの一部を表示灯部の設置部として利用でき、全体の形状をコンパクトにすることができる。
【図面の簡単な説明】
【００１５】
【図１】本発明の一実施の形態に係る表示灯一体型発信機の分解斜視図であって、前面側から見た状態を示している。
【図２】本発明の一実施の形態に係る表示灯一体型発信機の分解斜視図であって、後面側から見た状態を示している。
【図３】本発明の一実施の形態に係る表示灯一体型発信機の発信機カバーの背面図である。
【図４】本発明の一実施の形態に係る表示灯一体型発信機の取付方法の説明図である。
【図５】本発明の一実施の形態に係る表示灯一体型発信機の取付状態の説明図である。
【発明を実施するための形態】
【００１６】
本発明の一実施の形態に係る表示灯一体型発信機１は、図１に示すように、発信機本体部３と、発信機本体部３の前面に設けられた発信機カバー５と、発信機カバー５に取り付けられる表示灯部７とを有している。
以下、各構成を詳細に説明する。
【００１７】
＜発信機本体部＞
発信機本体部３は、押ボタン９と、高さの低い円筒状からなり押ボタン９を格納する押ボタン格納部１１と、箱状からなり内部に押ボタン９に連動するスイッチ（図示なし）等を収容するスイッチ格納部１３とを有している。
押ボタン９が押下されると、スイッチが作動して、図示しない火災受信機に火災信号を発信する。
【００１８】
＜発信機カバー＞
発信機カバー５は、有底円筒状の蓋体からなり、発信機本体部３の前面に取り付けられており、中央部には押ボタン９を操作するための開口部１５が設けられ、また開口部１５の上方には、電話ジャック窓扉１７が設けられている（図１〜図３参照）。
また、発信機カバー５には表示灯への電源を供給する電源線を挿通するための配線取出し穴３５（図４参照）を形成するためのノックアウト穴１９が、発信機カバー５における表示灯部７が取り付けられる位置に設けられている。
発信機カバー５の周縁部の上下及び左右には、外方向に張り出す矩形状の張出片部２１が設けられている。この張出片部２１は、発信機を取付面３７（図４、図５参照）に取り付ける取付部として機能する。張出片部２１には、取付面３７に設けられたスタッドネジ３７ａが挿通可能なネジ穴２１ａが設けられている。ここでは、張出片部２１は発信機カバー５の上下及び左右にある（即ち、張出片部２１は４つある）ものとして説明するが、張出片部２１の位置、数はそれだけに限らず、張出片部２１は発信機カバー５の周縁部にほぼ等間隔に２つ以上設けられれば足りる。
【００１９】
なお、発信機カバー５における配線取出し穴３５をノックアウト穴１９としたことで、配線を取り出す必要がない場合には、不要な開口部が形成されることがない。
【００２０】
＜表示灯部＞
表示灯部７は、発光素子２５を収容する発光素子収容部２３（図２参照）と発光素子２５の光を透光させる発光表示部２７とを有する表示灯本体部２９を有している。
表示灯本体部２９は、図１、図２に示すように、外形が発信機カバー５の外周に沿うリング状の有底枠形状からなる。表示灯本体部２９の前面及び周側面は発光表示部２７となるので、当該部位は透光性の部材で形成されている。
言い換えれば、表示灯本体部２９は全体が透光性を有する部材（例えば、透光性を有する樹脂）から一体的に形成され、表示灯本体部２９の設置時における背面が発光素子２５を有する基板３１を収容する発光素子収容部２３となっており、表示灯本体部２９の設置時における正面側が発光表示部２７となる。
【００２１】
表示灯本体部２９の背面側は、図２に示すように、リング状の溝形状になっており、このリング状の溝形状の部位が発光素子収容部２３である。
発光素子２５は、リング状の基板３１に搭載されており、基板３１には係止部３１ａが形成されている。
発光素子収容部２３におけるリング状の溝壁のうち外周側の溝壁の上下及び左右には、図２に示すように、基板３１の係止部３１ａに係合する係合部２３ａが設けられている。即ち、発光素子収容部２３の係合部２３ａに、基板３１の係止部３１ａを係合させることで、発光素子２５を備える基板３１を発光素子収容部２３に収容することができる。
【００２２】
なお、発光素子２５の配置は、図１に示す例では、周方向に等間隔で配置されているが、これに限られるものではない。
例えば、あるいは両サイド部の数が多くなるように（両サイド部の発光素子２５同士の間隔が狭くなるように）配置してもよい。
発光素子２５を、両サイド部の数が多くなるように配置することで、表示灯本体部２９の両サイド部が上下部よりも明るく光るので、表示灯本体部２９を取付面３７に沿った斜めから見たときにも、表示灯本体部２９を確実に視認できる。また、表示灯本体部２９の両サイドが上下よりもより明るくなり、リング状の表示灯本体部２９の光り方に変化が生じ、人が移動しながら表示灯本体部２９を見ると、視線の位置が変わることで、表示灯本体部２９を見る角度が変化し、それに伴って、視認できる表示灯本体部２９の両サイド及び上下面の面積が変化する。これにより、表示灯本体部２９の見え方が変わり、より視認性が高まっている。
【００２３】
なお、表示灯本体部２９の両サイドを上下よりも明るく光らせるための他の方法として、例えば、両サイドに配置する発光素子２５の輝度を上下部のものより高く設定するようにしてもよい。あるいは、上述した発光素子２５の間隔と輝度の両方を調整してもよい。
さらには、上下には発光素子２５を配置しないようにして、表示灯本体部２９の上下部が相対的に暗くなるようにしてもよい。
【００２４】
表示灯本体部２９を発信機カバー５に固定する固定手段として、本例では両面が粘着面となった両面シール部材３３を用いている。このような、両面シール部材３３であれば、極めて簡易に表示灯本体部２９を発信機カバー５に固定することができる。
なお、本発明の固定手段は、これに限られるものではなく、例えば表示灯本体部２９を発信機カバー５にネジ止めするようにしてもよく、発信機カバー５の周縁部に、表示灯７を係合する表示灯係合部を設けても良い。
【００２５】
以上のように構成された表示灯一体型発信機１の組立及び取付面３７への取付方法について説明する。
取付作業に先だって、発信機カバー５のノックアウト穴１９を開口して、配線取出し穴３５とする（図４（ａ）参照）。
表示灯一体型発信機１を取り付ける取付面３７の背面側には電源線などの配線（図示なし）があるので、その中から表示灯の電源線となる配線を引き出して、発信機カバー５の背面側から配線取出し穴３５に挿通して、発信機カバー５の前面側に引き出す。
発信機カバー５の張出片部２１に設けられたネジ穴２１を取付面３７に設けられたスタッドネジ３７ａに挿通し、ナット３９でネジ止めする（図４（ｂ）参照）。
前記配線を表示灯本体部２９に設置する基板３１に接続し、その後、表示灯収容部２３の係合部２３ａに基板３１の係止部３１ａを係止させることで表示灯本体部２９の背面側に基板３１を設置する。
基板３１の背面側に固定手段であるシール部材を貼り付け、シール部材の他方の粘着面によって、表示灯本体部２９を基板３１と共に発信機カバー５に貼り付ける（図４（ｃ）参照）。
【００２６】
以上のように本実施の形態の表示灯一体型発信機１は、発信機カバー５に表示灯部７が取り付けられているので、発信機カバー５の一部を表示灯部７の設置部として利用でき、全体の形状をコンパクトにすることができる。
【００２７】
なお、上記の説明では、取付面３７の背面の電源線から表示灯部７へ給電する例を示したが、表示灯部７が例えばバッテリー等の内部電源を有するようにしてもよい。その場合には、配線の引出しやノックアウト穴１９の開口等の作業がなく、取付作業がより簡易になる。
また、上記の説明では、表示灯本体部２９をリング状の形状にした例を示したが、本発明の表示灯本体部２９の形状はリング状に限定されず、発信機カバー５に取付可能で、かつ発信機カバー５に形成された開口部１５や電話ジャック窓扉１７等の機能を阻害しないような形状であればよい。
また、表示灯一体型発信機１のうち、発信機部分のみを取り付け面に設けることもでき、その場合は、ノックアウト穴１９を開口させないことで、意匠性にも問題が生じない。
また、配線取り出し穴３５を閉口させる一例として、ノックアウト穴１９としているが、これに限定せず、例えば、ゴムなどの樹脂や金属等によるキャップで配線取り出し穴３５を塞いでも良く、その取り付け方法も嵌合、ねじ込み、圧入等、簡単に開口できれば良い。
【００２８】
なお、上記の説明では、表示灯一体型発信機１について説明したが、発信機本体部３と発信機本体部３の前面に設けられた発信機カバー５とを備える発信機であって、発信機カバー５はノックアウト穴１９を有し、ノックアウト穴１９は、発信機カバー５の前面に固定される表示灯に電源線を配線する場合に開口されるものであれば、表示灯一体型発信機を構成することが可能であり、このような発信機を先に取り付け、後に表示灯を設けることが可能になる。
【００２９】
また、発光素子２５を収容する発光素子収容部２３と、発光素子２５の光を透光させる発光表示部２７とを有する表示灯部７を備え、表示灯部７は、発信機本体部の前面に設けられた発信機カバーに固定される、例えば両面シール部材３３等の固定手段を有する表示灯であれば、既に取り付けられている発信機に、後からに表示灯を設けることで表示灯一体型発信機を構成することが可能になる。この場合、表示灯部７にはバッテリー等の内部電源を有しているのが好ましい。
【符号の説明】
【００３０】
１  表示灯一体型発信機
３  発信機本体部
５  発信機カバー
７  表示灯部
９  押ボタン
１１  押ボタン格納部
１３  スイッチ格納部
１５  開口部
１７  電話ジャック窓扉
１９  ノックアウト穴
２１  張出片部
２１ａ  ネジ穴
２３  発光素子収容部
２３ａ  係合部
２５  発光素子
２７  発光表示部
２９  表示灯本体部
３１  基板
３１ａ  係止部
３３  両面シール部材
３５  配線取出し穴
３７  取付面
３７ａ  スタッドネジ
３９  ナット
【図１】
0006537821.tif 000002
【図２】
0006537821.tif 000003
【図３】
0006537821.tif 000004
【図４】
0006537821.tif 000005
【図５】
0006537821.tif 000006